(57)【要約】【課題】第１変色温度以下に冷却されたときに第１色を表示し、第２変色温度以上に昇温した時に第２色を表示するリライタブルシートを確実に第１変色温度以下に冷却すること。【解決手段】第１変色温度（−１５℃）以下に冷却されたときに第１色を表示し、第２変色温度（６０℃）以上に昇温した時に前記第１色とは異なる第２色を表示するリライタブルシート（１）の表面を部分的に第２変色温度（６０℃）以上に昇温させて、部分的に第２色の表示部分を形成することにより画像を形成するリライタブルシート用表示具又は表示装置（１６）と、冷却室（Ａ）内の温度を検出する温度センサにより検出された温度に基づいて、冷却室（Ａ）内が前記第１変色温度（−１５℃）以下で冷却用電源をオフにする冷却庫（６）と、を備えたリライタブルシートの画像形成・消去システム。【選択図】図２
2006335074.tif 000002
【特許請求の範囲】
【請求項１】
所定の第１変色温度以下に冷却されたときに第１色を表示し、所定の第２変色温度以上
に昇温した時に前記第１色とは異なる第２色を表示するリライタブルシートの表面を部分
的に前記第２変色温度以上に昇温させて、前記第１色に表示された前記表面に部分的に第
２色の表示部分を形成することにより前記リライタブルシートに画像を形成するリライタ
ブルシート用表示具又は表示装置と、
前記リライタブルシートを前記第１変色温度以下に冷却して前記第２色の表示部分を消
去可能な冷却室を有し、前記冷却室内の温度を検出する温度センサにより検出された温度
に基づいて、前記冷却室内が前記第１変色温度以下で冷却用電源をオフにする冷却庫と、
を備えたことを特徴とするリライタブルシートの画像形成・消去システム。
【発明の詳細な説明】
【技術分野】
【０００１】
本発明は、所定の第１変色温度以下に冷却されたときに第１色を表示し、所定の第２変
色温度以上に昇温した時に前記第２変色温度以上に昇温した部分のみが前記第１色とは異
なる第２色を表示するリライタブルシートの画像形成・消去システム、画像形成・消去方
法、および画像消去方法に関する。
【背景技術】
【０００２】
前記リライタブルシート表面への画像形成・消去方法としては、次の特許文献１記載の
技術が従来公知である。
（１）特許文献１：特許第２９０５９９８号明細書（特開平４−３２９９９３号公報）
この特許文献１には、低温側変色点と高温側変色点との２つの熱変色点を持ち、低温側
変色点以下の温度で第１色を表示し、高温側変色点以上の温度で第２色を表示する熱変色
性要素の熱変色層を高温側変色点以上に昇温させて変色させる通電加熱具が記載されてい
る。
【０００３】
またこの特許文献１には、従来技術およびその問題点が次のように記載されている。
すなわち、熱変色層を冷却変色させるための携帯性の軽便な冷熱手段は未だ開示されて
おらず、冷水、氷片等の冷熱媒体の適用や、対象の熱変色性要素を冷蔵庫内に入れ、庫内
の冷気による変色操作を行う技術が記載されている。また、前記対象の熱変色性要素を、
冷熱媒体が収容されている容器表面に接触させて変色操作を行う場合は、容器表面に発生
する結露層や水滴、あるいは漏水等により熱変色性要素が変質しがちであると記載されて
いる。
そこで、この特許文献１には、必要時に場所を選ばず、即座に対象物の冷熱変色を行う
ことができるようにするため、筆記具型またはアイロン型の通電冷却変色具１１が記載さ
れている。
【０００４】
また、熱変色層を変色させて表示色を変更する技術として次の特許文献２、３に記載さ
れた技術が従来公知である。
（２）特許文献２：特許公報昭和５９−２９０１号
この特許文献２には、回転移動するエンドレスのベルト状の感熱表示体と、前記感熱表
示体に画像を記録する発熱体と、前記感熱体の移動経路の途中に配置され且つ記録された
画像を消去するペルチェ素子を備えた冷却器とを有する感熱表示装置が記載されている。
【０００５】
（３）特許文献３（実開平４−８０５９５号公報）
この公報には、熱変色玩具を冷却する従来方法として、冷水、氷片、または冷蔵庫等に
熱変色性玩具を出し入れして変色させる方法が記載されている。その従来方法では、水濡
れした玩具の後始末が煩雑で、軽便性に欠けているので、冷水、氷片等の冷媒中に配置し
た金属性有底筒体を冷却し、その筒体中に収容させた熱変色性玩具を冷却させて変色させ
る冷却器が記載されている。
【０００６】
【特許文献１】特許第２９０５９９８号明細書（特開平４−３２９９９３号公報）
【特許文献２】特許公報昭和５９−２９０１号
【特許文献３】実開平４−８０５９５号公報
【発明の開示】
【発明が解決しようとする課題】
【０００７】
（前記特許文献１記載の技術の問題点）
前記特許文献１に記載された技術は、筆記具型またはアイロン型の通電冷却変色具１１
を使用するので、多数枚のリライタブルシートに形成された画像を一度に消去する場合に
は、画像消去作業に要する時間が長くなるという問題点がある。
（前記特許文献２記載の技術の問題点）
前記特許文献２に記載された技術は、感熱表示装置が、回転移動するエンドレスのベル
ト状の感熱表示体と、前記感熱表示体に画像を記録する発熱体と、前記感熱体の移動経路
の途中に配置され且つ記録された画像を消去するペルチェ素子を備えた冷却器とを有する
ので、全体として装置が複雑、大型となり、使い勝手が悪いという問題点がある。
【０００８】
（前記特許文献３記載の技術の問題点）
前記特許文献３に記載された技術は、冷水、氷片等の冷媒中に配置した金属性有底筒体
を冷却し、その筒体中に収容させた熱変色性玩具を冷却させて変色させているが、冷却し
て変色した熱変色玩具を、冷却状態で大気中に取り出すと、玩具表面が結露により濡れる
という問題点があった。
【０００９】
なお、前記特許文献１に従来技術として記載された、熱変色性要素（例えば、リライタ
ブルシート）を冷蔵庫内に入れ、庫内の冷気による変色操作を行う技術では、熱変色要素
が冷却状態で大気に接触すると、冷却状態の熱変色要素の表面が結露により濡れるという
問題点が生じる。前記熱変色要素の材料が紙の場合には、前記結露により濡れると寿命が
短くなるという問題点がある。
しかしながら、従来、熱変色性要素（例えば、リライタブルシート）表面の結露に対す
る有効な対策は考えられたことがなかった。
【００１０】
本発明は前記事情に鑑み、次の（Ｏ01）の記載内容を技術的課題とする。
（Ｏ01）所定の第１変色温度以下に冷却されたときに第１色を表示し、所定の第２変色温
度以上に昇温した時に前記第２変色温度以上に昇温した部分のみが前記第１色とは異なる
第２色を表示するリライタブルシート表面が結露により濡れることを防止すること。
【課題を解決するための手段】
【００１１】
次に、前記課題を解決するために案出した本発明を説明するが、本発明の構成要素には
、後述の実施例の構成要素との対応を容易にするため、実施例の構成要素の符号をカッコ
で囲んだものを付記する。
なお、本発明を後述の実施例の符号と対応させて説明する理由は、本発明の理解を容易
にするためであり、本発明の範囲を実施例に限定するためではない。
【００１２】
なお、本発明の説明において、リライタブルシートとは、従来より知られている、ヒス
テリシス特性を示す可逆熱変色性材料を一面に塗布した感熱変色シートのことである。所
定の第１変色温度以下に冷却されたときに第１色を表示し、所定の第２変色温度以上に昇
温した時に前記第１色とは異なる第２色を表示するが、前記第１色が有色で第２色が異な
った色彩の有色でも良いし、前記第１色が有色で第２色が無色（透明）であっても良い。
リライタブルシート表示具又は表示装置とは、従来より知られている、ケーシングに収
容、保持した通電発熱体を発熱させ、該発熱体に接触配置の伝熱性部材を加熱して機能さ
せるか、前記通電発熱体の後方に配置の送風手段を介してケーシング先端の吐出口より温
風を吐出させる構造（特許公報第２９０５９９８号公報に記載）や、熱を付与するサーマ
ルヘッドを有した熱転写プリンタのことである。
【００１３】
また本発明の説明において、シート収容体とは、開閉可能な開口部を有する袋状や、開
口部を開閉する開閉蓋を有する箱型形状のものである。材質としては、ケースの表面から
空気が出入りしない金属や合成樹脂等が良いが、ケースの表面から空気が出入りしにくい
紙でも良い。好ましくは、リライタブルシートを収納しやすくシート収容体内を外気と容
易に遮断することができる開閉蓋を有する箱型形状が良い。また材質は、収納したリライ
タブルシートの表面を所定の第１変色温度以下に冷却するために熱伝導率の良い金属が良
く、特にアルミ製は重量やコストの面から好ましい。
冷却庫とは、前記シート収容体を収納可能であって、前記した所定の第１変色温度以下
に冷却できるものであっても良く、一般的に知られている冷蔵庫や冷凍庫であっても良い
。
【００１４】
（第１発明）
前記課題を解決するために第１発明のリライタブルシートの画像形成・消去システムは
、
所定の第１変色温度（−１５℃）以下に冷却されたときに第１色を表示し、所定の第２
変色温度（６０℃）以上に昇温した時に前記第１色とは異なる第２色を表示するリライタ
ブルシート（１）の表面を部分的に前記第２変色温度（６０℃）以上に昇温させて、前記
第１色に表示された前記表面に部分的に第２色の表示部分を形成することにより前記リラ
イタブルシート（１）に画像を形成するリライタブルシート用表示具又は表示装置（１６
）と、
前記リライタブルシート（１）を前記第１変色温度（−１５℃）以下に冷却して前記第
２色の表示部分を消去可能な冷却室（Ａ）を有し、前記冷却室（Ａ）内の温度を検出する
温度センサにより検出された温度に基づいて、前記冷却室（Ａ）内が前記第１変色温度（
−１５℃）以下で冷却用電源をオフにする冷却庫（６）と、
を備えたことを特徴とする。
【００１５】
（第１発明の作用）
前記構成要件を備えた第１発明のリライタブルシートの画像形成・消去システムでは、
所定の第１変色温度（−１５℃）以下に冷却されたときに第１色を表示し、所定の第２変
色温度（６０℃）以上に昇温した時に前記第１色とは異なる第２色を表示するリライタブ
ルシート（１）に画像を形成するリライタブルシート用表示具又は表示装置（１６）は、
リライタブルシート（１）の表面を部分的に前記第２変色温度（６０℃）以上に昇温させ
て、前記第１色に表示された前記表面に部分的に第２色の表示部分を形成することにより
リライタブルシート（１）に画像を形成する。前記リライタブルシート（１）を前記第１
変色温度（−１５℃）以下に冷却して前記第２色の表示部分を消去可能な冷却室（Ａ）を
有する冷却庫（６）では、前記冷却室（Ａ）内の温度を検出する温度センサにより検出さ
れた温度に基づいて、前記冷却室（Ａ）内が前記第１変色温度（−１５℃）以下で冷却用
電源がオフにされる。したがって、リライタブルシート（１）を第１変色温度以下に確実
に冷却でき、リライタブルシート（１）を第１色にして画像を確実に消去することができ
る。
【００１６】
（第１発明の形態１）
第１発明の形態１のリライタブルシート（１）の画像形成・消去システムは、前記第１
発明において次の構成要件（Ａ04），（Ａ05）を備えたことを特徴とする。
（Ａ04）前記冷却庫（６）の冷却室（Ａ）内の前記リライタブルシート（１）を前記第１
変色温度（−１５℃）以下に冷却している時間をセット可能なタイマ（９）、
（Ａ05）前記タイマ（９）がタイムアップした時に前記冷却庫（６）の冷却用電源をオフ
にする電源遮断装置。
【００１７】
（第１発明の形態１の作用）
前記構成要件（Ａ04），（Ａ05）を備えた第１発明の形態１のリライタブルシート（１
）の画像形成・消去システムでは、電源遮断装置は、時間をセット可能なタイマ（９）が
タイムアップした時に前記冷却庫（６）の冷却用電源をオフにする。
したがって、温度センサの検出温度に基づいて前記タイマ（９）に適当な時間、例えば
、冷却庫（６）に収容されたリライタブルシート（１）が第１変色温度（−１５℃）以下
になる時間をセットすると、リライタブルシート（１）が第１色を表示する状態になって
から前記タイマ（９）がタイムアップして、冷却庫（６）の冷却用電源がオフになる。こ
の場合、リライタブルシート（１）の冷却に無駄な電力を消費することを防止することが
できる。
【００１８】
（第１発明の形態２）
第１発明の形態２リライタブルシート（１）の画像形成・消去システムは、前記第１発
明において次の構成要件（Ａ06）を備えたことを特徴とする。
（Ａ06）前記冷却庫（６）の冷却室（Ａ）内の前記リライタブルシート（１）を前記第１
変色温度（−１５℃）以下に冷却している時間をセット可能なタイマ（９）を有し、前記
タイマ（９）がタイムアップした時に前記冷却庫（６）の冷却用電源をオフにするタイマ
付電源遮断装置。
（第１発明の形態２の作用）
前記構成要件（Ａ06）を備えた第１発明の形態２のリライタブルシート（１）の画像形
成・消去システムでは、タイマ付電源遮断装置は、時間をセット可能なタイマ（９）がタ
イムアップした時に前記冷却庫（６）の冷却用電源をオフにする。
前記タイマ付電源遮断装置は、タイマ（９）と電源遮断装置とがセットになって構成さ
れているので、使い勝手が良い。
【００１９】
（第１発明の形態３）
第１発明の形態３のリライタブルシート（１）の画像形成・消去システムは、前記第１
発明において次の構成要件（Ａ07）を備えたことを特徴とする。
（Ａ07）前記冷却庫（６）の冷却室（Ａ）内の前記リライタブルシート（１）を前記第１
変色温度（−１５℃）以下に冷却している時間をセット可能なタイマ（９）と、前記タイ
マ（９）がタイムアップした時に前記冷却庫（６）の冷却用電源をオフにする電源遮断装
置とを有する前記冷却庫（６）。
（第１発明の形態３の作用）
前記構成要件（Ａ07）を備えた第１発明の形態３のリライタブルシート（１）の画像形
成・消去システムでは、前記冷却庫（６）の電源遮断装置は、時間をセット可能なタイマ
（９）がタイムアップした時に前記冷却庫（６）の冷却用電源をオフにする。
前記冷却庫（６）は、前記タイマ（９）および電源遮断装置を備えているので、使い勝
手が良い。
【００２０】
（第１発明の形態４）
第１発明の形態４のリライタブルシート（１）の画像形成・消去システムは、前記第１
発明の形態１ないし３のいずれかにおいて次の構成要件（Ａ09），（Ａ010）を備えたこ
とを特徴とする。
（Ａ09）前記温度センサの検出温度に対して設定されたタイマセット温度を記憶するセッ
ト温度記憶手段、
（Ａ010）前記温度センサの検出温度がタイマセット温度になったときに前記時間がセッ
トされる前記タイマ。
【００２１】
（第１発明の形態４の作用）
前記構成要件（Ａ09），（Ａ010）を備えた第１発明の形態４のリライタブルシート（
１）の画像形成・消去システムでは、セット温度記憶手段は、前記温度センサの検出温度
に対して設定されたタイマセット温度を記憶する。前記タイマは、前記温度センサの検出
温度がタイマセット温度になったときに前記時間がセットされる。
この場合、前記冷却室（Ａ）内の温度がタイマセット温度になった時にタイマにセット
された時間が経過した時に前記冷却庫（６）の冷却用電源がオフになる。
前記タイマセット温度として、例えば前記第１変色温度（−１５℃）を採用すれば、前
記冷却室（Ａ）内の温度が第１変色温度になった時から前記タイマにセットされた時間が
経過した時に冷却庫（６）の冷却用電源がオフになる。したがって、前記タイマにセット
する時間として、前記冷却室（Ａ）内の温度が第１変色温度になった時点から冷却室（Ａ
）内に収容された全リライタブルシート（１）の温度が前記第１変色温度になる時点まで
の経過時間をセットすることにより、冷却庫（６）の冷却室（Ａ）を冷却するための無駄
な電力消費を防止することができる。
【００２２】
（第２発明）
第２発明のリライタブルシート（１）の画像形成・消去方法は、次の工程（Ｂ01），（
Ｂ02）を順次実行することを特徴とする。
（Ｂ01）所定の第１変色温度以下に冷却されたときに第１色を表示し、所定の第２変色温
度（６０℃）以上に昇温した時に前記第１色とは異なる第２色を表示するリライタブルシ
ート（１）の表面を、リライタブルシート用表示具又は表示装置（１６）により、部分的
に前記第２変色温度（６０℃）以上に昇温させて前記第１色に表示された前記表面に部分
的に第２色の表示部分を形成することにより前記リライタブルシート（１）に画像を形成
する画像形成工程、
（Ｂ02）前記リライタブルシート（１）を冷却庫（６）の冷却室（Ａ）に収容させて、前
記冷却室（Ａ）内の温度を検出する温度センサにより検出された温度に基づいて、前記冷
却室（Ａ）内が前記第１変色温度（−１５℃）以下で冷却用電源をオフにすることにより
、前記リライタブルシート（１）を前記第１変色温度以下に冷却して第１色のみの表示状
態にする画像消去工程。
【００２３】
（第２発明の作用）
前記工程（Ｂ01），（Ｂ02）を順次実行する第２発明のリライタブルシート（１）の画
像形成・消去方法では、所定の第１変色温度以下に冷却されたときに第１色を表示し、所
定の第２変色温度（６０℃）以上に昇温した時に前記第１色とは異なる第２色を表示する
リライタブルシート（１）の表面に画像を形成する画像形成工程において、前記第１色に
表示された前記リライタブルシート（１）の前記表面を、リライタブルシート用表示具又
は表示装置（１６）により部分的に前記第２変色温度（６０℃）以上に昇温させる。その
とき、前記リライタブルシート（１）表面の部分的に前記第２変色温度（６０℃）以上に
昇温した部分は、部分的に第２色の表示部分が形成される。
画像消去工程では、前記リライタブルシート（１）を冷却庫（６）の冷却室（Ａ）に収
容させて、前記冷却室（Ａ）内の温度を検出する温度センサにより検出された温度に基づ
いて、前記冷却室（Ａ）内が前記第１変色温度（−１５℃）以下で冷却用電源をオフにす
ることにより、前記リライタブルシート（１）を前記第１変色温度以下に冷却して第１色
のみの表示状態にする。
【００２４】
（第３発明）
第３発明のリライタブルシート（１）の画像消去方法は、次の工程（Ｃ01）を備えたこ
とを特徴とする。
（Ｃ01）所定の第１変色温度以下に冷却されたときに第１色となり、所定の第２変色温度
（６０℃）以上に昇温した時に前記第２変色温度（６０℃）以上に昇温した部分のみが前
記第１色とは異なる第２色に変色したリライタブルシート（１）を、冷却庫（６）の冷却
室（Ａ）に収容させて、前記冷却室（Ａ）内の温度を検出する温度センサにより検出され
た温度に基づいて、前記冷却室（Ａ）内が前記第１変色温度（−１５℃）以下で冷却用電
源をオフにすることにより、前記リライタブルシート（１）を前記第１変色温度以下に冷
却して第１色のみの状態にする画像消去工程。
【００２５】
（第３発明の作用）
前記工程（Ｃ01）を備えた第３発明のリライタブルシート（１）の画像消去方法では、
所定の第１変色温度以下に冷却されたときに第１色となり、所定の第２変色温度（６０℃
）以上に昇温した時に前記第２変色温度（６０℃）以上に昇温した部分のみが前記第１色
とは異なる第２色に変色したリライタブルシート（１）の画像消去工程では、リライタブ
ルシート（１）を冷却庫（６）の冷却室（Ａ）に収容させて、前記冷却室（Ａ）内の温度
を検出する温度センサにより検出された温度に基づいて、前記冷却室（Ａ）内が前記第１
変色温度（−１５℃）以下で冷却用電源をオフにすることにより、前記リライタブルシー
ト（１）を前記第１変色温度以下に冷却して第１色のみの状態にする。
【発明の効果】
【００２６】
前述の本発明は、下記の効果（Ｅ01）を奏する。
（Ｅ01）所定の第１変色温度以下に冷却されたときに第１色を表示し、所定の第２変色温
度以上に昇温した時に前記第２変色温度以上に昇温した部分のみが前記第１色とは異なる
第２色を表示するリライタブルシートを確実に第１変色温度以下に冷却でき、第１色のみ
の状態にすることができる。
【発明を実施するための最良の形態】
【００２７】
次に図面を参照しながら、本発明の実施例を説明するが、本発明は以下の実施例に限定
されるものではない。
【実施例１】
【００２８】
図１は本発明のリライタブルシートの画像形成・消去システムの実施例で使用するリラ
イタブルシートの１例の説明図で、図１Ａは第１変色温度以下に冷却された状態のリライ
タブルシートの斜視図、図１Ｂはリライタブルシート用プリンタ（１６）により表面の一
部が第２変色温度以上に昇温されて画像が表示された状態のリライタブルシートの斜視図
である。
図１において、リライタブルシート１は、白色の台紙２と、前記台紙２の表面の１／２
の領域にそれぞれ形成された第１表示層３と、第２表示層４とを有している。第１表示層
３は第１変色温度（−１５℃）以下に冷却されると赤色（第１色）を表示し、第２変色温
度（６０℃）以上に昇温すると透明（第２色）となる表示層である。第２表示層４は第１
変色温度（−１５℃）以下に冷却されると青色（第１色）を表示し、第２変色温度（６０
℃）以上に昇温すると透明（第２色）となる表示層である。
【００２９】
したがって、前記リライタブルシート１を−１５℃以下に冷却すると、第１表示層３は
全面が赤色を表示し、第２表示層４は全面が青色を表示する。前記リライタブルシート１
に熱転写プリンタ（リライタブルシート用プリンタ）により、大きな文字で、例えば第１
表示層３に「大売」および「１０月」と印字し、また、第２表示層４に、「出し」および
「１１〜１５日」と印字すると、第１表示層３および第２表示層４の印字した部分は透明
になる。その場合、第１表示層３には赤を背景にして「大売」および「１０月」が前記台
紙２の白色で表示され、第２表示層４には青を背景にして「出し」および「１１〜１５日
」が前記台紙２の白色で表示される。
【００３０】
図２は本発明のリライタブルシートの画像形成・消去システムの実施例１の全体説明図
である。
図２において、冷凍庫（シート収容体冷却庫）６は、冷凍室（冷却室）Ａを形成する冷
凍庫本体７と前記冷凍室Ａを開閉する開閉カバー８とを有している。開閉カバー８の外側
面にはタイマ９が設けられている。開閉カバー８を閉塞した状態で、タイマ９に冷却時間
をセットすると冷凍庫６の電源（図示せず）がオンとなり、冷凍庫６の冷却が開始される
。前記タイマ９にセットした時間がタイムアップしたとき、冷凍庫６の冷却用電源がオフ
となるように構成されている。
【００３１】
前記冷凍庫６の冷凍室Ａに出入可能なアルミ製のシート収容体１１は、前記リライタブ
ルシート１を挿入する開口部１２ａを有するケース本体１２と、前記開口部１２ａを開閉
する開閉蓋１３とを有している。
前記冷凍庫６は、複数のリライタブルシート１が重ねて収容され且つ前記開閉蓋１３が
閉塞されたシート収容体１１を、前記冷凍室Ａ内に収容して開閉カバー８を閉塞した状態
で、タイマ９にセットした時間シート収容体１１を冷却可能である。前記タイマ９に所定
時間をセットすることにより、前記冷凍室Ａ内のシート収容体１１内の複数枚のリライタ
ブルシート１を前記第１変色温度（−１５℃）以下に冷却可能である。
【００３２】
前記冷凍庫６の上面には、前記リライタブルシートに印字するための熱転写プリンタ（
リライタブルシート用プリンタ）１６が支持されている。前記熱転写プリンタ１６は、パ
ソコン１７に接続されており、パソコン１７には、ディスプレイ１８、キーボード１９、
マウス２０等が接続されている。パソコン１７はハードディスクを内蔵している。符号１
７〜２０等で示された要素により、前記リライタブルシート１に印字する画像を作成する
ための画像作成装置（１７〜２０）が構成されている。また、前記画像作成装置（１７〜
２０）と前記熱転写プリンタ１６とにより、リライタブルシート１に画像を形成するため
の画像形成装置（１６＋１７〜２０）が構成されている。
【００３３】
（実施例１の作用）
図３は前記図２で説明した本発明のリライタブルシートの画像形成・消去システムの実
施例１の作用説明図であり、図３Ａは冷凍室内部にシート収容体を配置する様子を示す図
、図３Ｂは冷凍室内部にシート収容体を配置した状態を示す図である。
図２において、シート収容体１１のケース本体１２にその開口部１２ａから複数のリラ
イタブルシート１を挿入し、前記開口部１２ａを閉塞蓋１３により閉塞する。
図３Ａにおいて、前記冷凍庫６の開閉カバー８を開放して、複数のリライタブルシート
１を収納したシート収容体１１を冷凍室Ａ内に挿入する。その状態で開閉カバー８を閉塞
する。その状態で、前記タイマ９に例えば８時間をセットする。前記タイマ９に時間をセ
ットすると同時に、冷凍庫６の冷却用電源がオンとなって冷凍室Ａが冷却される。
前記タイマ９にセットされた時間の経過に伴って冷凍室Ａ内の温度が低下する。なお、
前記タイマ９には、冷凍室Ａ内部に配置したシート収容体１１内部の全リライタブルシー
トが前記第１変色温度（−１５℃）以下になるのに必要な時間がセットされる。
【００３４】
図４はタイマにセットされた時間が経過したときの冷却室内の状態の説明図で、図４Ａ
は冷却室内のシート収容体内部の温度が−１５℃以下になった状態の説明図、図４Ｂはタ
イマにセットされた時間がタイムアップした状態の説明図である。
前記タイマ９がセットされてから、ある時間経過すると冷凍室Ａ内の温度が−１５℃以
下になる（図４Ａ参照）。その状態になった後に、前記シート収容体１１内部の温度も低
下して−１５℃以下になる。前記シート収容体１１内部の全リライタブルシート１の温度
が−１５℃以下になると、リライタブルシートの第１表示層３の全領域が赤色（第１色）
、第２表示層４の全領域が青色（第１色）になる。
前記リライタブルシートの第１表示層３の全領域が赤色（第１色）、第２表示層４の全
領域が青色（第１色）になった状態で前記タイマ９がタイムアップする。
前記タイマ９がタイムアップした時、前記冷凍庫６の冷却用電源がオフとなって冷凍庫
６の冷却動作が停止される。
【００３５】
図５は前記冷凍庫の冷凍室からシート収容体を取り出し、シート収容体内部の温度が大
気温度にほぼ等しくなるまで大気中にシート収容体を放置している状態を示す図である。
前記タイマ９がオフになった後、前記冷凍庫６の冷凍室Ａからシート収容体１１を取り
出して、シート収容体１１内部が低温の状態で開閉蓋１３を開放すると、シート収容体１
１内部のリライタブルシート１に結露が生じることがある。そこで、図５に示すように、
前記リライタブルシート１表面での結露の発生を防止するため、前記タイマ９がオフにな
った後、前記冷凍庫６の冷凍室Ａからシート収容体１１を取り出して開閉蓋１３を閉塞状
態にしたまま大気中に放置し、シート収容体１１内部が常温（外部温度とほぼ同程度の温
度）になってから、開閉蓋１３を開放する。
このように、リライタブルシート１を前記シート収容体内部に収容した状態で冷却し、
且つシート収容体１１内部が外部温度に同程度の温度になってから、シート収容体１１内
部のリライタブルシート１を取り出すことにより、リライタブルシート１表面に結露が発
生することを防止することができる。
【００３６】
前記大気中に放置した後に開閉蓋１３を開放したときのシート収容体１１内部のリライ
タブルシート１は全領域が第１色（第１表示層３は赤色、第２表示層４は青色）になって
いる。
全領域が第１色になっているリライタブルシート１を前記熱転写プリンタ１６にセット
して印字を行うと、第１表示層３では赤色を背景にして白色の文字または画像が形成され
、第２表示層４では青色を背景にして白色の文字または画像が形成される。
【産業上の利用可能性】
【００３７】
（変更例）
以上、本発明の実施例を詳述したが、本発明は、前記実施例に限定されるものではなく
、特許請求の範囲に記載された本発明の要旨の範囲内で、種々の変更を行うことが可能で
ある。本発明の変更実施例を下記に例示する。
（１）実施例１では、リライタブルシート１として、白色の台紙２表面に第１表示層３お
よび第２表示層の２色の表示層を形成したものを使用したが、従来公知の種々のリライタ
ブルシートを使用可能である。また、台紙２上に２色の表示層を形成したリライタブルシ
ートの代わりに、３色以上の表示層を形成したものを使用可能である。また、前記台紙２
として、白色のものを使用する代わりに他の色の台紙を使用したり、２色以上の複数色に
色付けされた台紙を使用することも可能である。
（２）冷凍庫６にタイマ９が設けられていない場合には、冷凍庫６と電源との接続ケーブ
ルの途中に、タイマのセット時間がタイムアップした時に電源を遮断する電源遮断装置付
タイマを設けることができる。
【００３８】
（３）前記実施例１において、冷凍室（Ａ）内の温度を検出する温度センサと、前記温度
センサの検出温度に対して設定されたタイマセット温度を記憶するセット温度記憶手段と
、前記温度センサの検出温度がタイマセット温度になったときに前記時間がセットされる
タイマとを設けることが可能である。その場合、前記タイマセット温度を例えば、−１５
℃に設定することができる。その場合、前記タイマは、前記温度センサの検出温度が−１
５℃になったときに設定される。その場合、冷凍室（Ａ）の温度が−１５℃になってから
、前記タイマにセットされた時間が経過した時に冷凍庫６の電源が遮断される。
（４）前記冷凍庫（６）には、前記タイマ（９）がタイムアップした時に前記シート収容
体（１１）を大気に露出させるケース露出装置を設けることが可能である。前記ケース露
出装置は、前記タイマ（９）がタイムアップした時に開閉カバー８を開放して冷凍室Ａと
大気とを連通させる装置により構成することが可能である。
（５）前記シートケース１１としては、例えば、箱型のシートケース、袋状のシート収容
体等の種々のシート収容体を使用可能であるが、リライタブルシートの販売時に、複数の
前記リライタブルシートを収容した状態で前記複数のリライタブルシートと、前記リライ
タブルシートを挿入する開閉可能な開口部を有したシート収容体とが一緒に販売された場
合には、前記販売時にリライタブルシートが収容されていたシート収容体を使用すること
が可能である。
【図面の簡単な説明】
【００３９】
【図１】図１は本発明のリライタブルシートの画像形成・消去システムの実施例で使用するリライタブルシートの１例の説明図で、図１Ａは第１変色温度以下に冷却された状態のリライタブルシートの斜視図、図１Ｂはリライタブルシート用プリンタにより表面の一部が第２変色温度以上に昇温されて画像が表示された状態のリライタブルシートの斜視図である。
【図２】図２は本発明のリライタブルシートの画像形成・消去システムの実施例１の全体説明図である。
【図３】図３は前記図２で説明した本発明のリライタブルシートの画像形成・消去システムの実施例１の作用説明図であり、図３Ａは冷凍庫（冷却庫）の冷凍室（冷却室）内部にシート収容体を配置する様子を示す図、図３Ｂは冷凍庫の冷凍室内部にシート収容体を配置した状態を示す図である。
【図４】図４はタイマにセットされた時間が経過したときの冷凍室内の状態の説明図で、図４Ａは冷凍室内のシート収容体内部の温度が−１５℃以下になった状態の説明図、図４Ｂはタイマにセットされた時間がタイムアップした状態の説明図である。
【図５】図５は前記冷凍庫（冷却庫）の冷凍室からシート収容体を取り出し、シート収容体内部の温度が大気温度にほぼ等しくなるまで大気中にシート収容体を放置している状態を示す図である。
【符号の説明】
【００４０】
Ａ…冷凍室（冷却室）、
１…リライタブルシート、
６…シート収容体冷凍庫（冷却庫）、
９…タイマ、
１１…シート収容体、
１２…ケース本体、
１２ａ…開口、
１３…開閉蓋、
１６…リライタブルシート用プリンタ。
【図１】
2006335074.tif 000003
【図２】
2006335074.tif 000004
【図３】
2006335074.tif 000005
【図４】
2006335074.tif 000006
【図５】
2006335074.tif 000007